(57)【特許請求の範囲】
【請求項１】
記録媒体に対して記録を行い、
記録が行われた記録媒体を排出する排出部が形成され、
記録が行われた記録媒体を収納する記録媒体収納装置を有する記録装置において、
前記排出部から排出された前記記録媒体を支持する記録媒体支持面と、
前記記録媒体を押圧して前記記録媒体支持面に押さえ付ける記録媒体押圧部材とを有し、
前記記録媒体支持面は前記排出部から排出されて垂下した前記記録媒体の垂下した部分を受けて下から支持する位置に配置され、
前記記録媒体押圧部材によって前記記録媒体を前記記録媒体支持面に押さえ付けた状態で、前記記録媒体の後端が前記排出部から排出された後に前記記録媒体の後端に近い部分を押し出し部材によって搬送方向に押し出すことによって、排出された前記記録媒体の搬送方向の前端に近い領域は前記記録媒体支持面上に支持され、前記記録媒体の後端は前記記録媒体支持面に対して前記排出部の反対側に位置した状態で、前記記録媒体は前記記録媒体支持面に支持され、
前記排出部から排出された記録媒体の大きさに応じて、前記記録媒体における記録媒体を搬送する方向である搬送方向の前端から、前記記録媒体押圧部材によって前記記録媒体を押圧する押圧位置までの距離が変更されることを特徴とする記録装置。
【請求項２】
搬送される前記記録媒体に対して押圧するタイミングを変更することによって、前記記録媒体における前記記録媒体押圧部材による前記押圧位置を変更し、前記記録媒体の前記搬送方向の前端から前記押圧位置までの距離を調節することを特徴とする請求項１に記載の記録装置。
【請求項３】
前記記録媒体の少なくとも一部が、前記排出部の下流における所定位置を通過したことを検知する記録媒体検知手段が取り付けられていることを特徴とする請求項１または２に記載の記録装置。
【請求項４】
前記押し出し部材は前記記録媒体の後端に近い部分の一部を前記記録媒体支持面よりも搬送方向の下流まで押し出し、前記記録媒体の前記搬送方向の後端が前記記録媒体支持面に対して前記排出部の逆側に位置することを特徴とする請求項１から３のいずれか１項に記載の記録装置。
【請求項５】
前記記録媒体の前記搬送方向の後端が、前記記録媒体支持面に対して前記排出部の逆側に位置するように前記記録媒体の一部が押し出されると、前記記録媒体押圧部材が前記記録媒体支持面から退避することを特徴とする請求項４に記載の記録装置。
【請求項６】
記録媒体に対して記録を行い、記録が行われた記録媒体を記録装置から排出する排出部を有する記録装置に取り付けられ、記録が行われた記録媒体を収納する記録媒体収納装置であって、
前記排出部から排出された前記記録媒体を支持する記録媒体支持面と、
前記記録媒体を押圧して前記記録媒体支持面に押さえ付ける記録媒体押圧部材とを有し、
前記記録媒体支持面は前記排出部から排出されて垂下した前記記録媒体の垂下した部分を受けて下から支持する位置に配置され、
前記記録媒体押圧部材によって前記記録媒体を前記記録媒体支持面に押さえ付けた状態で、前記記録媒体の後端が前記排出部から排出された後に前記記録媒体の後端に近い部分を押し出し部材によって搬送方向に押し出すことによって、排出された前記記録媒体の搬送方向の前端に近い領域は前記記録媒体支持面上に支持され、前記記録媒体の後端は前記記録媒体支持面に対して前記排出部の反対側に位置した状態で、前記記録媒体は前記記録媒体支持面に支持され、
前記排出部から排出された記録媒体の大きさに応じて、前記記録媒体における記録媒体を搬送する方向である搬送方向の前端から、前記記録媒体押圧部材によって前記記録媒体を押圧する押圧位置までの距離が変更されることを特徴とする記録媒体収納装置。
【請求項７】
記録装置によって記録が行われ、前記記録装置の排出部から排出されて垂下した前記記録媒体の垂下した部分を受けて下から支持する位置に配置され、記録媒体を支持する記録媒体支持面と、
前記記録媒体を押圧して前記記録媒体支持面に押さえ付ける記録媒体押圧部材と、
前記記録媒体支持面に支持された記録媒体の姿勢を所定の姿勢とするために記録媒体の一部を押し出す押出し部材とを有する記録媒体収納装置に、記録が行われた記録媒体を収納する記録媒体の収納方法であって、
前記記録媒体押圧部材によって前記排出部から排出された前記記録媒体を前記記録媒体支持面に押さえ付けるステップと、
前記記録媒体押圧部材によって前記記録媒体を前記記録媒体支持面に押さえ付けた状態で、前記記録媒体を搬送する方向である搬送方向に対する前記記録媒体の後端が、前記記録装置の排出部から排出される記録媒体排出ステップと、
排出された前記記録媒体の搬送方向の前端に近い領域は前記記録媒体支持面上に支持された状態で、前記記録媒体の前記搬送方向の後端を、前記記録媒体支持面に対して、前記排出部の逆側に位置させるために、前記記録媒体押圧部材によって前記記録媒体を前記記録媒体支持面に押さえ付けた状態で、前記記録媒体の後端が前記排出部から排出された後に、前記押出し部材によって記録媒体の一部を押し出す押出しステップと、
前記記録媒体押圧部材が前記記録媒体支持面から退避する記録媒体押圧部材退避ステップとを有することを特徴とする記録媒体の収納方法。
【発明の詳細な説明】
【技術分野】
【０００１】
本発明は、記録が行われ、排出された記録媒体を収納するための記録装置、記録媒体収納装置及び記録媒体の収納方法に関する。
【背景技術】
【０００２】
今日、画像出力装置としてプリンタ、プロッタ、複写機、スキャナ等の記録装置が広く用いられている。こういった記録装置は、入力された画像情報に基づいて記録媒体に対して画像を記録するものである。記録媒体としては、記録紙やプラスチックシート等のシート状のもの（以下、シートと称する）が一般に使用されている。このような記録装置によって記録媒体に対して記録が行われた後は、記録が行われたシートが記録媒体収納装置としてのシート収納装置に載置されることになる。
【０００３】
記録装置における一般的なシート収納装置は、記録装置から水平あるいは水平に近似した斜めの方向に排出されるシートが、水平面もしくは斜めに傾いたトレイに、広げられたままの状態で載置されるように構成されている。
【０００４】
また、これとは異なる形態のシート収納装置として、特許文献１のように、シートが記録装置から一旦水平方向に排出され、次にシートの排出される方向に対して直交する方向にシートが搬送されるシート搬送経路が形成されている形式のものがある。この形式のシート収納装置は、シートが排出される際には、まず、シート前端が所定の突き当て位置に突き当たるまでシートを送り出す。そして、シート前端がそれ以上移動できない状態でそこからさらにシートが送り出されることにより、シートの後端が記録媒体の前端位置に対して記録装置からは逆側に位置するように記録媒体の後端を押し出す。このように記録媒体における後端を、記録媒体の前端を中心にしてトレイの形状によって定められた所定の角度で回転させることにより、記録媒体の所定の積載位置まで移送させる。そして、記録装置は、記録されたシートを記録装置から連続的に排出するので、上記の排出の際の記録媒体の動作が連続して行われる。
【０００５】
【特許文献１】特開平０４−２１３５５０号公報
【発明の開示】
【発明が解決しようとする課題】
【０００６】
しかしながら、従来の、シートを水平あるいは水平に近い傾斜状態で積載するトレイを有する形式のシート収納装置が用いられる場合には、シートの望ましくないシワ、巻き癖によるカールによって、シートを整列積載することができないことがあった。トレイ上に既に積載されているシートにシワ、巻き癖によるカールが残っていると、それ以降に排出されるシートが積載位置に到達する前に載置されている記録媒体のカールしている部分と当接してしまい、記録媒体の移動がそこで阻まれる。従って、後から来るシートを搬送経路上で自由に移動させることができなくなり、シートを詰まらせる原因となっていた。
【０００７】
さらに、水平あるいは水平に近い傾斜状態に配置されたトレイにシートを積載する場合は、トレイは、少なくともシートの面積と同等あるいはそれ以上の大きさを有した積載するためのスペースを必要とする。このため、特に大きいサイズのシートを搬送して収納する場合、必然的にシートを積載するためのスペースが大型になり、シート収納装置の構成が全体的に大型化してしまう。このように、収納するシートの大きさによってシート収納装置の大きさが決定されて、シート収納装置の設計の際の自由度が少ない。また、シート収納装置が大型化するため、シート積載手段の剛性を高めることも必要になる。
【０００８】
このようにシートに形成されるシワや巻き癖によるカールによって生じる記録媒体の詰まりを防ぐために、前記した特許文献１に開示されているシート収納装置が提案されている。ここで開示されているシート収納装置は、上述のように、記録媒体の前端を突き当て位置に突き当て、その状態で記録媒体の後端を押し出すように回転させて搬送する形式である。この形式のシート収納装置を用いてシートを収納する場合、シートのシワ、巻き癖により生じるカールによって記録媒体が平らでなくなることを抑えることができ、記録装置における記録媒体の排出部において記録媒体の詰まりが生じることを防止することができる。
【０００９】
しかしながら、この形式のシート収納装置では、記録装置における排出部と突き当て位置との距離が常に一定となるので、積載可能な記録媒体のサイズが限定されてしまう。すなわち、記録装置の排出口と突き当て位置との間の距離を越える大きさの記録媒体を用いることはできない。さらに、この特許文献１に開示された形式のシート収納装置を採用したとしても、記録媒体の種類、サイズによってはまだ巻き癖による大きなカールが生じてしまう可能性があり、これによって記録媒体を所定の積載スペースまで移送できない場合が想定される。
【００１０】
また、特許文献１のシート収納装置では、記録媒体の一部が略水平面に形成されたスペース上に積載されることになる。そのため、その部分では上記の略水平面に形成された記録媒体の積載スペースを有する形式のシート収納装置と同様に、特に大きいサイズの記録媒体を積載する際には、必然的にシートの積載手段が大型になりシート収納装置が大型化してしまう。また、シート収納装置が大型化してしまうために、シート収納装置自身の剛性を高めることも必要になる。
【００１１】
本発明は上記の問題点に鑑みてなされたものであり、記録媒体の大きさによって使用が制限されることを抑えつつ、記録媒体のシワ、カールが生じることが抑えられる記録媒体収納装置、記録装置及び記録媒体の収納方法を提供することを目的とする。また、それと同時に、記録媒体を積載するためのスペースが小型化された記録媒体収納装置、記録装置及び記録媒体の収納方法を提供することを目的とする。
【課題を解決するための手段】
【００１２】
本発明の記録装置によれば、記録媒体に対して記録を行い、記録が行われた記録媒体を排出する排出部が形成され、記録が行われた記録媒体を収納する記録媒体収納装置を有する記録装置において、前記排出部から排出された前記記録媒体を支持する記録媒体支持面と、前記記録媒体を押圧して前記記録媒体支持面に押さえ付ける記録媒体押圧部材とを有し、前記記録媒体支持面は前記排出部から排出されて垂下した前記記録媒体の垂下した部分を受けて下から支持する位置に配置され、前記記録媒体押圧部材によって前記記録媒体を前記記録媒体支持面に押さえ付けた状態で、前記記録媒体の後端が前記排出部から排出された後に前記記録媒体の後端に近い部分を押し出し部材によって搬送方向に押し出すことによって、排出された前記記録媒体の搬送方向の前端に近い領域は前記記録媒体支持面上に支持され、前記記録媒体の後端は前記記録媒体支持面に対して前記排出部の反対側に位置した状態で、前記記録媒体は前記記録媒体支持面に支持され、前記排出部から排出された記録媒体の大きさに応じて、前記記録媒体における記録媒体を搬送する方向である搬送方向の前端から、前記記録媒体押圧部材によって前記記録媒体を押圧する押圧位置までの距離が変更されることを特徴とする。
【００１３】
また、本発明の記録媒体収納装置によれば、記録媒体に対して記録を行い、記録が行われた記録媒体を記録装置から排出する排出部を有する記録装置に取り付けられ、記録が行われた記録媒体を収納する記録媒体収納装置であって、前記排出部から排出された前記記録媒体を支持する記録媒体支持面と、前記記録媒体を押圧して前記記録媒体支持面に押さえ付ける記録媒体押圧部材とを有し、前記記録媒体支持面は前記排出部から排出されて垂下した前記記録媒体の垂下した部分を受けて下から支持する位置に配置され、前記記録媒体押圧部材によって前記記録媒体を前記記録媒体支持面に押さえ付けた状態で、前記記録媒体の後端が前記排出部から排出された後に前記記録媒体の後端に近い部分を押し出し部材によって搬送方向に押し出すことによって、排出された前記記録媒体の搬送方向の前端に近い領域は前記記録媒体支持面上に支持され、前記記録媒体の後端は前記記録媒体支持面に対して前記排出部の反対側に位置した状態で、前記記録媒体は前記記録媒体支持面に支持され、前記排出部から排出された記録媒体の大きさに応じて、前記記録媒体における記録媒体を搬送する方向である搬送方向の前端から、前記記録媒体押圧部材によって前記記録媒体を押圧する押圧位置までの距離が変更されることを特徴とする。
【００１４】
また、本発明の記録媒体の収納方法によれば、記録装置によって記録が行われ、前記記録装置の排出部から排出されて垂下した前記記録媒体の垂下した部分を受けて下から支持する位置に配置され、記録媒体を支持する記録媒体支持面と、前記記録媒体を押圧して前記記録媒体支持面に押さえ付ける記録媒体押圧部材と、前記記録媒体支持面に支持された記録媒体の姿勢を所定の姿勢とするために記録媒体の一部を押し出す押出し部材とを有する記録媒体収納装置に、記録が行われた記録媒体を収納する記録媒体の収納方法であって、前記記録媒体押圧部材によって前記排出部から排出された前記記録媒体を前記記録媒体支持面に押さえ付けるステップと、前記記録媒体押圧部材によって前記記録媒体を前記記録媒体支持面に押さえ付けた状態で、前記記録媒体を搬送する方向である搬送方向に対する前記記録媒体の後端が、前記記録装置の排出部から排出される記録媒体排出ステップと、排出された前記記録媒体の搬送方向の前端に近い領域は前記記録媒体支持面上に支持された状態で、前記記録媒体の前記搬送方向の後端を、前記記録媒体支持面に対して、前記排出部の逆側に位置させるために、前記記録媒体押圧部材によって前記記録媒体を前記記録媒体支持面に押さえ付けた状態で、前記記録媒体の後端が前記排出部から排出された後に、前記押出し部材によって記録媒体の一部を押し出す押出しステップと、前記記録媒体押圧部材が前記記録媒体支持面から退避する記録媒体押圧部材退避ステップとを有することを特徴とする。
【発明の効果】
【００１５】
本発明の記録媒体収納装置、記録装置及び記録媒体の収納方法によれば、記録媒体の大きさによって使用が制限されずに記録媒体のシワ、カールが生じることが抑えられる記録媒体収納装置、記録装置及び記録媒体の収納方法を提供することができる。
【発明を実施するための最良の形態】
【００１６】
以下、図面を参照して本発明の実施形態を具体的に説明する。なお、各図面を通じて同一符号は同一または対応部分を示すものである。
【００１７】
図１は、本発明の実施形態に係る記録媒体収納装置としてのシート収納装置１００を有する記録装置２００を示す斜視図である。本実施形態では、記録装置２００は、シート収納装置１００が記録装置２００における記録を行う記録部２０１に取り付けられることでシート収納装置１００を有する記録装置２００として構成されている。図２は、図１の記録装置２００における記録部２０１の側面図及びシート収納装置１００の中央部を通って鉛直方向に延びる線に沿う断面図である。図３、４は、シート収納装置１００にシートを送り出している記録装置２００を示し、記録装置２００における記録部２０１の側面図及びシート収納装置１００の中央を通って鉛直方向に延びる線に沿う断面図である。図５、図６は、シート収納装置１００にシートが載置されている記録装置２００を示し、記録装置２００における記録部２０１の側面図及びシート収納装置１００の中央を通って鉛直方向に延びる線に沿う断面図である。
【００１８】
本実施形態で用いられている記録装置２００は、大判の記録媒体に対応したインクジェット記録装置である。本実施形態では、記録装置２００は連続した記録媒体であるロール紙に画像を記録する装置であり、その内部に記録手段（記録ヘッド）、ロール紙給紙機構１及びロール紙、シート搬送機構などを備えている。なお、本発明に用いられる記録装置としては、大判の記録媒体に対応したインクジェット記録装置に限定されない。大判に対応した記録装置でなくても良い。また、記録装置はインクジェット記録装置でなくても良く、記録媒体に対して記録可能であれば他の形式の記録装置であっても良い。
【００１９】
ロール紙から引き出されたシート（シート状の記録媒体）は、ロール紙給紙機構１により記録ヘッドへ向けて供給され、不図示のシート搬送機構により搬送される間に不図示の記録ヘッドにより画像を記録される。記録されたシート１１は排出部としての排出口３から送り出される。さらに、記録装置２００における排出口３の内側には、ロール状のシートを所定位置で切断することが可能なカッターが配置されており、記録済みとなったシート１１は、カッターにより所定の長さに切断されて排出口３から排出されることになる。
【００２０】
記録手段である記録ヘッドは、画像情報に基づいて記録媒体に画像（文字や記号等も含む）を記録する。記録ヘッドがインクジェット式の場合は、画像情報に基づいて記録ヘッドの複数の吐出口からシートへインクが吐出されて記録が行われる。なお、記録媒体としては、記録紙やプラスチックシート等のシート状のものが一般に使用される。以下、単にシートとも称する。シート状の記録媒体としては、紙、プラスチックシート、写真調印画紙、糸、繊維、布帛、皮革等、画像を記録できるものであれば種々の記録媒体を使用することができる。
【００２１】
シート収納装置１００は、記録装置２００の排出口３から排出されるシート１１を受け取り、そのシート１１を一旦収納し保持する。シート収納装置１００は、シート収納機構としてのシートガイド４、センサ５、シート押圧部材６、シート支持面７及びシート押出し機構８を有している。シートガイド４は、排出されるシート１１が所定位置に送り出されるようにシート１１の前端をガイドする。記録媒体支持面としてのシート支持面７は、記録装置２００の排出口３から排出されたシート１１を受け取り、積載されるシート１１を支持する。また、シート支持面７は、端部に支軸９を有している。本実施形態では、トレイとして機能するシート支持面７は、やや傾斜し、鉛直に近い方向に延びた状態で設置されている。従って、略水平面に形成されたトレイと比較して、設置に必要とされるスペースが小さく済み、シート収納装置１００の小型化が図れる。
【００２２】
記録媒体検知手段としてのセンサ５は、記録媒体の少なくとも一部が、排出口３の下流における所定位置を通過したことを検知する。本実施形態においては、シート１１の前端が通過したことを検出し、シート１１がシートガイド４とシート支持面７との間に位置することを検知する。記録媒体押圧部材としてのシート押圧部材６は、シート１１の前端近傍をシート支持面７に対して押圧することでシート１１をシート支持面７に押さえ付けて保持する。シートガイド４の上部には、シート支持面７にシート１１を移送していく過程で、シート１１を記録装置２００に対して逆側に押し出すシート押出し機構８が配置されている。シート押出し機構８は、押出し棒１０によって排出されたシート１１を押し出すことで、支軸９を支点としてシート後端を反転させる。シート押出し機構８は、シート１１の後端を反転するために移動する押出し部材としての押出し棒１０、押出し棒１０の駆動機構及び押し出し棒１０の移動をガイドするためのガイド機構を有している。これらの押出し機構８によって、シート１１の一部を押し出すことで、シート支持面７に支持されたシートの姿勢を所定の姿勢とする。
【００２３】
シート収納装置１００は、記録装置２００の排出口３から排出されたシート１１がシートガイド４とシート支持面７との間に供給されるように、シートガイド４とシート支持面７との間の空間が排出口３の下方に位置するように配置されている。また、記録部２０１の直下には、記録部２０１及びシート収納装置１００を支持するスタンド２が配置されている。スタンド２には、シート１１が記録装置２００内部で搬送される搬送方向に平行に延びた台２０が取り付けられ、台２０の搬送方向の両端部には車輪２１が取り付けられている。これにより、記録装置２００の移動が容易になっている。
【００２４】
次に、上記のように構成されたシート収納装置１００からのシート１１を受け取り収納するまでの記録媒体の収納方法を、図７のフローチャート及び図２ないし図６の断面図を用いて説明する。
【００２５】
まず、記録装置２００へ記録情報が入力されるとシートのサイズ信号、シートの種類信号、シートの搬送信号（搬送ローラの送り量、キャリッジの印字パス数等）等がシート収納装置１００に与えられ、シート収納装置１００はこれを受けて動作が開始される。
【００２６】
そして、入力されたシートのサイズ信号を基に、記録装置２００の排出口３から排出されるシートがシート収納装置１００によって収納することが可能かどうかの判断が行われる（Ｓ０１）。このとき、シートがシート収納装置１００によって収納することができないと認識されれば、シートに対して記録が行われた後は、シートはカットされ、その後シート収納装置１００には収納されずにシートが取り出される。シートがシート収納装置１００によって収納可能であると認識されれば、シートが搬送されながらシートに画像が記録され（Ｓ０２）、シートが収納装置１００によって収納されるように搬送されていく。ここで、図３に示されるように、シート１１の前端は、排出口３から送り出され、本体トレイ１２に沿って一旦水平方向に案内された後に、本体トレイ１２の端部から下方に向かってシート収納装置１００の方へ供給される。
【００２７】
それから、シート１１はシートガイド４に沿って下方に押し進められ、シート１１の前端がシートガイド４とシート支持面７との間に入り込む。このようにしてシートがシート収納装置１００内部に入るとシート収納装置１００に設けられているセンサ５がこれを検知する（Ｓ０３）。さらに、シート１１を送り続けることで記録装置２００は記録を開始してから所定の搬送量に到達する（Ｓ０４）。こうして、センサによってシート１１が所定の搬送量を移動し、シート収納装置１００によってシート１１が押圧位置に到達したと認識されれば、図４に示されるようにシート押圧部材６が退避状態から作動状態となる。本実施形態では、作動状態となったときにはシート押圧部材６が回転し、シート１１に対して押圧可能となるように当接する。そして、そこでシート１１の前端近傍が、シート押圧部材６によって押圧される。このように、シートガイド４とシート支持面７との間の位置で、シート１１をシート押圧部材６によってシート支持面７に押し付けることでシートを挟止している（Ｓ０５）。なお、シート押圧部材６が動作を行うトリガーである所定の搬送量とは、シートのサイズにより異なる。例えば、Ａ２サイズでは、シート１１が排出口３から排出されてから、シートの前端より内側に１０ｍｍの部位を押圧部材６が押圧するようにシート１１が位置するまでのシート１１の搬送量である。また、Ａ１サイズでは、シート１１の前端より内側に１００ｍｍの位置を押圧部材６が押圧するようにシート１１が位置するまでの搬送量である。
【００２８】
このように、本実施形態では、記録装置２００の排出口３から排出されたシート１１の大きさに応じて、シート１１における搬送方向の前端から、シート押圧部材６によってシート１１を押圧する押圧位置までの距離を調節することが可能である。ここで、搬送方向とは、シート１１が記録装置２００によって搬送される方向とする。本実施形態では、シート１１の大きさに応じ、搬送されていくシート１１に対して押圧するタイミングを調節することによって、シート１１上におけるシート押圧部材６による押圧位置を調節している。こうすることで、シート１１の搬送方向前端から押圧位置までの距離を変更している。
【００２９】
シート１１における搬送方向の前端から押圧位置までの距離をシート１１の大きさに応じて調節することが可能なので、シート収納装置１００が記録媒体の大きさによって比較的制限を受けず、より多くの記録媒体に対応して収納することができる。従って、シート収納装置が広く適用されることが可能となる。また、シート収納装置によって収納できる記録媒体の大きさに関して比較的制限が少なくなるので、シート収納装置の設計の際に、収納する記録媒体の大きさによって制限を受けずに設計することができ、設計の際の自由度が高まる。
【００３０】
従来のシート収納装置のようにシートを突き当て位置に突き当てて収納する形式のシート収納装置では、記録装置におけるシートの排出部とシート収納装置における突き当て位置との間の距離によって、シート収納装置が対応できるシートの大きさに制限があった。しかしながら、本実施形態のシート収納装置では、シート押圧部材６がシートをシート支持面７に押圧する位置を変更することが可能なので、シートをシート支持面７に対して押し付けるに際してシートに関する制限が少なくなっている。
【００３１】
なお、シート押圧部材６によるシートの押圧位置を調節するには、シート収納装置１００に対するシート押圧部材６の取り付け位置を移動させて調節しても良い。さらに、シートを押圧するタイミングを調節することとシート押圧部材６の取り付け位置を移動させることを同時に採用しても良い。これらを同時に採用することで、より柔軟にシート上における押圧位置を調節することができるので、より多くの記録媒体に対応して収納することができる。また、シート収納装置の設計の際の自由度がさらに高まる。また、本実施形態では、シート押圧部材６は回転式を使用しているが、本発明ではこれに限定されず、スライド式またはその他の方式でも構わない。
【００３２】
さらに、図４に示されるように、記録が終了して（Ｓ０６）シート１１が一定の距離を搬送されるとシート１１の前端近傍が挟止されたままシート１１の後端がカッターによりカットされる（Ｓ０７）。このように、シート排出ステップ（記録媒体排出ステップ）では、シート１１がカットされ、シート１１の搬送方向後端が記録装置２００における排出口３から排出されることになる。シート１１がカットされると、シート押出し機構８に具備されたシート押出し棒１０が、図４に示される退避位置から図５に示されるシート押出し棒１０の最大延長位置まで一旦移動する。図５に示されるように、シート１１がカットされ、搬送方向に対するシート１１の後端が排出口３から排出されると、シート押出し棒１０によってシート１１の一部が押し出される。このように、押出しステップでは、シート１１の搬送方向後端をシート支持面７に対して記録装置２００の排出口３の逆側に位置させるために、シート押出し棒１０によってシート１１の一部を押し出す。本実施形態では、シート１１をシート支持面７上に載置した際のシート１１におけるシート支持面７の支軸９に対応する部位の近傍を押し出す。
【００３３】
そして、その後図６に示されるように、シート押出し棒１０は退避位置まで戻される。このシート押出し機構８の一連の動作によって、シート１１は後端をシート支持面７に設けられている支軸９を支点に反転し、シート１１の搬送方向後端が支点の支軸９を挟んで排出口３の逆側に位置する。すなわち、シート１１の搬送方向後端が、シート支持面７に対して排出口３の逆側に位置するような姿勢となる。このようにして、シート１１が、シート支持面７の所定の位置に所定の姿勢で積載される（Ｓ０８）。本実施形態における所定の姿勢は、シート１１の搬送方向における前端から略中央部までの領域がシート支持面７上に支持され、シート１１の搬送方向後端がシート支持面７に対して排出口３の逆側に位置しているような姿勢である。このとき、シート１１は、シート支持面７における支軸９に対応した位置であるシート１１の略中央部で折れ曲がり、Ｖ字状の形状を有している。
【００３４】
図６に示されるように、シート１１がシート支持面７の所定の位置に所定の姿勢で載置されると、シート１１がセンサ５から離れた場所に位置することになり、センサ５がシート１１を検知しない状態となる（Ｓ０９）。このように、シートの搬送方向後端が、記録装置２００に対してシート支持面７の逆側に位置するようにシート１１の一部が押し出されると、シート押圧部材６がシート１１への押圧を止め、シート支持面７から離間するように退避する。このように、シート押圧部材退避ステップ（記録媒体押圧部材退避ステップ）では、シート押圧部材６がシート支持面７から退避して作動状態から退避状態となる。この状態となったところで、シート収納装置１００はシート押圧部材６が作動状態から退避状態となったことを認識し、シート収納装置１００の動作は完了する（Ｓ１０）。このように、シート１１は、センサ５を用いてシート収納装置１００の所定の位置に所定の姿勢で載置されたことを検知している。そして、シート１１が所定の位置に所定の姿勢で載置されていない場合には、それ以上の記録装置２００の記録動作を中止することとしている。こうすることで、シートが正常な位置及び姿勢で載置されていないときに次のシートが供給されることで、記録装置２００において紙詰まり、積載不良等が発生することを防止している。
【００３５】
また、シート押出し棒１０によってシート１１の一部が押出されることで、シート１１は、支軸９を支点に後端が反転するので、記録媒体のシワ、カール等が通常発生する方向とは逆方向にシート１１が曲げられる。これにより、シート１１がシート収納装置１００に収納されてからシート１１にシワ、カール等が生じることが抑えられる。
【００３６】
なお、本実施形態ではセンサ５を設ける構成としているが、本発明はこれに限定されず、紙詰まり、積載不良等を許容するのであればセンサ５が無くても構わない。また、本実施形態では、シート１１の後端を反転するために、シート押出し機構８を設け、特に巻き癖によるカールが大きいシートの場合を考慮してシートの反転を補助している。しかしながら、本発明はこの限りではなく、巻き癖によるカールを問題としない場合はシート押出し機構が無くても構わない。
【００３７】
以上が記録装置２００の記録部２０１で記録されたシートをシート収納装置１００に収納する場合の一連の動作である。そして、連続でシートをシート収納装置１００に収納、積載する場合には、この一連の動作を連続することにより複数のシートを連続的に収納することができる。ここで、一枚目のシートを収納する本実施形態では、シート押圧部材６は、シートが押圧位置に到達したときに初めてシートを押さえ付けるように作動することとした。そして、二枚目以降に供給されるシートに関しても、上記の工程を単に繰り返すことで、シート収納装置は連続的にシートを収納できる。しかしながら、二枚目以降のシートを収納する際には、シート押圧部材６はそれまでに収納されているシートを保持するために、シートが押圧位置に到達する直前まで、それまでに収納されているシートを押圧していることとしても良い。そして、シートが押圧位置に到達する直前に一旦退避し、その後シートが押圧位置に到達したときに再びシートを押圧することとしても良い。こうすることで、既に収納しているシートに関して、シート押圧部材６によって押圧されて保持される時間が長くなるので、既に収納されているシートがより安定してシート収納装置に保持されることになる。
【００３８】
なお、上述のように、本実施形態では記録装置２００は、シート収納装置１００が記録装置２００における記録を行う記録部２０１に取り付けられることでシート収納装置１００を有する記録装置２００として構成されている。しかしながら、本発明の記録装置及びシート収納装置はこの形態に限定されず、シート収納装置が単体のものとして構成されても良い。そして、このシート収納装置が様々な記録装置に対応して取り付けられるように構成されても良い。また、記録装置の記録を行う記録部とシート収納装置とが一体的に形成されて一つの記録装置２００として構成されても良い。
【図面の簡単な説明】
【００３９】
【図１】本発明の実施形態に係る記録装置の記録部及びシート収納装置の全体を示す斜視図である。
【図２】図１の記録装置の記録部及びシート収納装置の一部を破断した断面図である。
【図３】図１の記録装置の記録部及びシート収納装置の一部を破断し、シートを排出している途中の状態を示す断面図である。
【図４】図１の記録装置の記録部及びシート収納装置の一部を破断し、シートがカッターによって切断された際を示す断面図である。
【図５】図１の記録装置の記録部及びシート収納装置の一部を破断し、シートの一部がシート押出し部材に押し出されて反転した際を示す断面図である。
【図６】図１の記録装置の記録部及びシート収納装置の一部を破断し、シートがシート収納装置に収納された際を示す断面図である。
【図７】本発明のシート収納装置における制御の流れを示すフローチャートである。
【符号の説明】
【００４０】
５  シート押出し部材
６  シート押圧部材
７  シート支持面
１１  シート
１００  シート収納装置
２００  記録装置
【図１】
0005224788.tif 000002
【図２】
0005224788.tif 000003
【図３】
0005224788.tif 000004
【図４】
0005224788.tif 000005
【図５】
0005224788.tif 000006
【図６】
0005224788.tif 000007
【図７】
0005224788.tif 000008